【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  通信機能を有する携帯端末と、携帯端末と通信可能なデータ送信装置とを備え、前記データ送信装置から送信されたデータを前記携帯端末で表示するためのデータ表示システムであって、
前記データ送信装置は、
前記携帯端末に送信するための文字データおよび文字以外の非文字データを有する文書データから、文字データが存在する文字領域と非文字データが存在する非文字領域とを分離する領域分離手段と、
分離された領域に応じて、前記携帯端末でのデータの表示方法を指定する表示方法指定手段と、
データの表示方法に関する指定情報を文書データに付加する指定情報付加手段と、
前記携帯端末に対して、文書データを送信する送信手段とを有し、
前記携帯端末は、
前記データ送信装置から文書データを受信する受信手段と、
前記文書データから前記指定情報を検出する指定情報検出手段と、
前記指定情報に基づいて、前記文書データを出力画像として表示する表示手段と
を有することを特徴とするデータ表示システム。
【請求項２】  通信機能を有する携帯端末と、携帯端末と通信可能なデータ送信装置とを備え、前記データ送信装置から送信されたデータを前記携帯端末で表示するためのデータ表示システムにおける前記データ送信装置であって、
前記携帯端末に送信するための文字データおよび文字以外の非文字データを有する文書データから、文字データが存在する文字領域と非文字データが存在する非文字領域とを分離する領域分離手段と、
分離された領域に応じて、前記携帯端末でのデータの表示方法を指定する表示方法指定手段と、
データの表示方法に関する指定情報を文書データに付加する指定情報付加手段と、
前記携帯端末に対して、文書データを送信する送信手段と
を有することを特徴とするデータ送信装置。
【請求項３】  前記指定情報は、画像として出力させた場合、前記文書データ中に視覚的に認識困難な形で埋め込まれることを特徴とする請求項２に記載のデータ送信装置。
【請求項４】  前記非文字データは、写真または図形のデータであることを特徴とする請求項２または３に記載のデータ送信装置。
【請求項５】  前記表示方法の指定は、表示倍率の指定またはスクロール表示形式の指定を含むことを特徴とする請求項２〜４のいずれか１つに記載のデータ送信装置。
【請求項６】  前記文字領域に対して、スクロール表示形式の指定が行われることを特徴とする請求項２〜５のいずれか１つに記載のデータ送信装置。
【請求項７】  前記非文字領域に対して、表示倍率の指定が行われることを特徴とする請求項２〜６のいずれか１つに記載のデータ送信装置。
【請求項８】  原稿を読み取ることにより画像データを得る読取手段をさらに有し、
前記文書データは、原稿を読み取って得られた画像データであることを特徴とする請求項２〜７のいずれか１つに記載のデータ送信装置。
【請求項９】  前記文字領域内の文字データから文字コードを認識して文字コードデータを得る文字認識手段と、
前記文字コードデータを文書データに付加する文字コードデータ付加手段と
をさらに有することを特徴とする請求項２〜８のいずれか１つに記載のデータ送信装置。
【請求項１０】  通信機能を有する携帯端末と、携帯端末と通信可能なデータ送信装置とを備え、前記データ送信装置から送信されたデータを前記携帯端末で表示するためのデータ表示システムにおける前記携帯端末であって、
前記データ送信装置から文字データおよび文字以外の非文字データを有する文書データを受信する受信手段と、
前記文書データから、文字データが存在する文字領域と非文字データが存在する非文字領域とを分離する領域分離手段と、
分離された領域に応じて、データの表示方法を設定する表示方法設定手段と、
設定された表示方法にしたがって前記文書データを出力画像として表示する表示手段と
を有することを特徴とする携帯端末。
【請求項１１】  前記非文字データは、写真または図形のデータであることを特徴とする請求項１０に記載の携帯端末。
【請求項１２】  前記表示方法の指定は、表示倍率の指定またはスクロール表示形式の指定を含むことを特徴とする請求項１０または１１に記載の携帯端末。
【請求項１３】  前記文字領域に対して、スクロール表示形式の設定が行われることを特徴とする請求項１０〜１２のいずれか１つに記載の携帯端末。
【請求項１４】  前記非文字領域に対して、表示倍率の設定が行われることを特徴とする請求項１０〜１３のいずれか１つに記載の携帯端末。
【請求項１５】  前記文字領域内の文字データから文字コードを認識して文字コードデータを得る文字認識手段をさらに有し、
前記表示手段は、前記文字コードデータを出力画像として表示することを特徴とする請求項１０〜１４のいずれか１つに記載の携帯端末。
【請求項１６】  通信機能を有する携帯端末と、携帯端末と通信可能なデータ送信装置とを用いて、前記データ送信装置から送信されたデータを前記携帯端末で表示するためのデータ表示方法であって、
前記データ送信装置が、前記携帯端末に送信するための文字データおよび文字以外の非文字データを有する文書データから、文字データが存在する文字領域と非文字データが存在する非文字領域とを分離する段階と、
前記データ送信装置が、分離された領域に応じて、前記携帯端末でのデータの表示方法を指定する段階と、
前記データ送信装置が、データの表示方法に関する指定情報を文書データに付加する段階と、
前記データ送信装置が、前記携帯端末に対して、文書データを送信する段階と、
前記携帯端末が、前記データ送信装置から文書データを受信する段階と、
前記携帯端末が、前記文書データから前記指定情報を検出する段階と、
前記携帯端末が、前記指定情報に基づいて、前記文書データを出力画像として表示する段階と
を有することを特徴とするデータ表示方法。
【請求項１７】  通信機能を有する携帯端末と、携帯端末と通信可能なデータ送信装置とを備え、前記データ送信装置から送信されたデータを前記携帯端末で表示するためのデータ表示システムにおける前記データ送信装置を制御するデータ表示プログラムであって、
前記携帯端末に送信するための文字データおよび文字以外の非文字データを有する文書データから、文字データが存在する文字領域と非文字データが存在する非文字領域とを分離する手順と、
分離された領域に応じて、前記携帯端末でのデータの表示方法を指定する手順と、
データの表示方法に関する指定情報を文書データに付加する手順と、
前記携帯端末に対して、文書データを送信する手順と
をデータ送信装置に実行させるためのデータ表示プログラム。
【請求項１８】  通信機能を有する携帯端末と、携帯端末と通信可能なデータ送信装置とを備え、前記データ送信装置から送信されたデータを前記携帯端末で表示するためのデータ表示システムにおける前記携帯端末を制御するデータ表示プログラムであって、
前記データ送信装置から文字データおよび文字以外の非文字データを有する文書データを受信する手順と、
前記文書データから、文字データが存在する文字領域と非文字データが存在する非文字領域とを分離する手順と、
分離された領域に応じて、データの表示方法を設定する手順と、
設定された表示方法にしたがって前記文書データを出力画像として表示する手順と
を携帯端末に実行させるためのデータ表示プログラム。
【請求項１９】  請求項１７または１８に記載のデータ表示プログラムを記録したコンピュータ読取可能な記録媒体。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
（１１）前記非文字データは、写真または図形のデータであることを特徴とする上記（１０）に記載の携帯端末。
【手続補正５】
【補正対象書類名】明細書
【補正対象項目名】００２０
【補正方法】変更
【補正の内容】
【００２０】
（１２）前記表示方法の指定は、表示倍率の指定またはスクロール表示形式の指定を含むことを特徴とする上記（１０）または（１１）に記載の携帯端末。
【手続補正６】
【補正対象書類名】明細書
【補正対象項目名】００２１
【補正方法】変更
【補正の内容】
【００２１】
（１３）前記文字領域に対して、スクロール表示形式の設定が行われることを特徴とする上記（１０）〜（１２）のいずれか１つに記載の携帯端末。
【手続補正７】
【補正対象書類名】明細書
【補正対象項目名】００２２
【補正方法】変更
【補正の内容】
【００２２】
（１４）前記非文字領域に対して、表示倍率の設定が行われることを特徴とする上記（１０）〜（１３）のいずれか１つに記載の携帯端末。
【手続補正８】
【補正対象書類名】明細書
【補正対象項目名】００２３
【補正方法】変更
【補正の内容】
【００２３】
（１５）前記文字領域内の文字データから文字コードを認識して文字コードデータを得る文字認識手段をさらに有し、前記表示手段は、前記文字コードデータを出力画像として表示することを特徴とする上記（１０）〜（１４）のいずれか１つに記載の携帯端末。
【手続補正９】
【補正対象書類名】明細書
【補正対象項目名】００２４
【補正方法】変更
【補正の内容】
【００２４】
（１６）通信機能を有する携帯端末と、携帯端末と通信可能なデータ送信装置とを用いて、前記データ送信装置から送信されたデータを前記携帯端末で表示するためのデータ表示方法であって、前記データ送信装置が、前記携帯端末に送信するための文字データおよび文字以外の非文字データを有する文書データから、文字データが存在する文字領域と非文字データが存在する非文字領域とを分離する段階と、前記データ送信装置が、分離された領域に応じて、前記携帯端末でのデータの表示方法を指定する段階と、前記データ送信装置が、データの表示方法に関する指定情報を文書データに付加する段階と、前記データ送信装置が、前記携帯端末に対して、文書データを送信する段階と、前記携帯端末が、前記データ送信装置から文書データを受信する段階と、前記携帯端末が、前記文書データから前記指定情報を検出する段階と、前記携帯端末が、前記指定情報に基づいて、前記文書データを出力画像として表示する段階とを有することを特徴とするデータ表示方法。
【手続補正１０】
【補正対象書類名】明細書
【補正対象項目名】００２５
【補正方法】変更
【補正の内容】
【００２５】
（１７）通信機能を有する携帯端末と、携帯端末と通信可能なデータ送信装置とを備え、前記データ送信装置から送信されたデータを前記携帯端末で表示するためのデータ表示システムにおける前記データ送信装置を制御するデータ表示プログラムであって、前記携帯端末に送信するための文字データおよび文字以外の非文字データを有する文書データから、文字データが存在する文字領域と非文字データが存在する非文字領域とを分離する手順と、分離された領域に応じて、前記携帯端末でのデータの表示方法を指定する手順と、データの表示方法に関する指定情報を文書データに付加する手順と、前記携帯端末に対して、文書データを送信する手順とをデータ送信装置に実行させるためのデータ表示プログラム。
【手続補正１１】
【補正対象書類名】明細書
【補正対象項目名】００２６
【補正方法】変更
【補正の内容】
【００２６】
（１８）通信機能を有する携帯端末と、携帯端末と通信可能なデータ送信装置とを備え、前記データ送信装置から送信されたデータを前記携帯端末で表示するためのデータ表示システムにおける前記携帯端末を制御するデータ表示プログラムであって、前記データ送信装置から文字データおよび文字以外の非文字データを有する文書データを受信する手順と、前記文書データから、文字データが存在する文字領域と非文字データが存在する非文字領域とを分離する手順と、分離された領域に応じて、データの表示方法を設定する手順と、設定された表示方法にしたがって前記文書データを出力画像として表示する手順とを携帯端末に実行させるためのデータ表示プログラム。
【手続補正１２】
【補正対象書類名】明細書
【補正対象項目名】００２７
【補正方法】変更
【補正の内容】
【００２７】
（１９）上記（１７）または（１８）に記載のデータ表示プログラムを記録したコンピュータ読取可能な記録媒体。